(57)【要約】【課題】起動時に搬送部のローラを回転させる処理を行う場合においても、シートが破損することを抑制すること。【解決手段】シート搬送装置の制御部は、情報生成部から切替情報を第１切替情報として取得する第１取得処理と、取得した第１切替情報を前記記憶部に記憶させる記憶処理と、当該シート搬送装置の起動の際に、情報生成部から切替情報を第２切替情報として取得する第２取得処理（Ｓ４０２）と、記憶部に記憶されている第１切替情報が、第２取得処理により取得される第２切替情報に一致するか否かを判断する判断処理（Ｓ４０５）と、判断処理において、第１切替情報が第２切替情報に一致しないと判断される場合（Ｓ４０５：ＮＯ）、搬送部のローラを回転させず（Ｓ４１０）、第１切替情報が第２切替情報に一致すると判断される場合、搬送部の前記ローラを回転させる（Ｓ４２０）、ローラ回転処理と、を実行する。【選択図】図８
2014166913.tif 000002
【特許請求の範囲】
【請求項１】
給紙トレイと、
搬送経路に沿って配置されたローラを有し、前記給紙トレイに載置されたシートを、前記ローラを回転させて搬送する搬送部と、
前記搬送経路は、第１排出口に通じる第１搬送経路および第２排出口に通じる第２搬送経路を有し、前記第１搬送経路に前記シートを案内する第１切替状態と、前記第２搬送経路に前記シートを案内する第２切替状態とに切替わる搬送経路切替部と、
前記搬送経路切替部が、前記第１切替状態または前記第２切替状態の何れの状態にあるかを示す切替情報を生成する情報生成部と、
不揮発性の記憶部と、
制御部と、
を備え、
前記制御部は、
前記情報生成部から前記切替情報を第１切替情報として取得する第１取得処理と、
取得した前記第１切替情報を前記記憶部に記憶させる記憶処理と、
当該シート搬送装置の起動の際に、前記情報生成部から前記切替情報を第２切替情報として取得する第２取得処理と、
前記記憶部に記憶されている前記第１切替情報が、前記第２取得処理により取得される前記第２切替情報に一致するか否かを判断する判断処理と、
前記判断処理において、前記第１切替情報が前記第２切替情報に一致しないと判断される場合、前記搬送部の前記ローラを回転させず、前記第１切替情報が前記第２切替情報に一致すると判断される場合、前記搬送部の前記ローラを回転させる、ローラ回転処理と、
を実行する、シート搬送装置。
【請求項２】
請求項１に記載のシート搬送装置において、
前記情報生成部は、前記給紙トレイに設けられ、前記シートの大きさに関する種別を検出するトレイ検知部と、前記搬送経路切替部の切替状態の切替えに連動して前記切替情報を生成する切替検知部とを含み、
前記制御部は、
前記第１取得処理において、前記トレイ検知部から前記第１切替情報を取得し、
前記第２取得処理において、前記切替検知部から前記第２切替情報を取得する、シート搬送装置。
【請求項３】
請求項１に記載のシート搬送装置において、
前記情報生成部は、前記搬送経路切替部の切替状態の切替えに連動して前記切替情報を生成する切替検知部を含み、
前記制御部は、
前記第１取得処理における前記第１切替情報、および前記第２取得処理における前記第２切替情報を、前記切替検知部から取得する、シート搬送装置。
【請求項４】
請求項１から請求項３のいずれか一項に記載のシート搬送装置と、
前記シートである原稿を読取る読取部と、
ユーザの指示を受け付ける受付部と、
を備え、
前記制御部は、
前記搬送部および前記読取部を制御して前記原稿を読取る搬送読取処理を実行し、
前記第２取得処理と、前記判断処理と、前記ローラ回転処理とを含む、起動時ローラ回転制御処理を、前記受付部が当該画像読取装置の起動の指示を受け付けた際に実行し、
前記第１取得処理および前記記憶処理を、前記起動の指示以前における当該画像読取装置の動作時において前記搬送読取処理を実行する際に実行する、画像読取装置。
【請求項５】
請求項４に記載の画像読取装置において、
前記原稿が排紙される排紙トレイを備え、
前記制御部は、
前記搬送読取処理において、
前記搬送部を制御して前記原稿を前記排紙トレイに排紙する排紙処理と、
前記排紙処理が完了したか否かを判断する完了判断処理と、
前記排紙処理が完了したと判断する場合、前記記憶部に記憶された前記第１切替情報を消去する消去処理と、をさらに実行し、
前記受付部が当該画像読取装置の起動の指示を受け付けた際に、前記記憶部に前記第１切替情報が記憶されていない場合、前記起動時ローラ回転制御処理を実行しない、画像読取装置。
【請求項６】
請求項５に記載の画像読取装置において、
前記制御部は、
前記受付部が当該画像読取装置の起動の指示を受け付けた場合、前記起動時ローラ回転制御処理を含む初期化処理を実行し、
前記記憶部に前記第１切替情報が記憶されていない場合、前記初期化処理において前記起動時ローラ回転制御処理を実行しない、画像読取装置。
【発明の詳細な説明】
【技術分野】
【０００１】
本発明はシート搬送装置、および当該シート搬送装置を備えた画像読取装置に関し、詳しくは、シートに応じてシートの搬送経路を切替えるシート搬送装置に関する。
【背景技術】
【０００２】
従来、シート応じてシートの搬送経路を切替えるシート搬送装置を備えた画像読取装置として、例えば特許文献１に記載されたものが知られている。この画像読取装置では、搬送される原稿の厚みが厚くなると、原稿に曲がり癖がついたり、ジャムが発生したりするなどの問題が生じる。そのため、従来から、搬送される原稿の厚さを検出し、検出した原稿の厚さによって搬送経路を切替える技術が用いられている。
【先行技術文献】
【特許文献】
【０００３】
【特許文献１】特開２００７−４９３００号公報
【発明の概要】
【発明が解決しようとする課題】
【０００４】
しかしながら、原稿を搬送して読取る読取装置では、原稿の厚みだけでなく、原稿の原稿サイズによっても問題が発生することがある。例えば、２つの搬送経路を備える読取装置において、一方の搬送経路に通じる排出口の幅が、他方の搬送経路に通じる排出口の幅よりも狭く設けられている場合がある。例えば、一方の搬送経路に通じる排出口の幅がはがきサイズの原稿に対応し、他方の搬送経路に通じる排出口の幅がＡ４サイズの原稿に対応する場合がある。この読取装置では、一方の搬送経路に通じる排出口の幅よりも原稿幅の広いＡ４サイズの原稿が一方の搬送経路に沿って搬送されると、ジャムが発生し、Ａ４サイズの原稿が破損する。特に、搬送経路に原稿が残留しているか否かに係らず起動時に搬送部のローラを回転させる構成においては、搬送経路に原稿が残留している場合、残留する原稿と排出口とが適合していない場合、ジャムになるという虞があった。
【０００５】
そこで、起動時に搬送部のローラを回転させる処理を行う場合において、シートが破損することを抑制することができるシート搬送装置を提供するものである。
【課題を解決するための手段】
【０００６】
本明細書によって開示されるシート搬送装置は、給紙トレイと、搬送経路に沿って配置されたローラを有し、給紙トレイに載置されたシートを、前記ローラを回転させて搬送する搬送部と、前記搬送経路は、第１排出口に通じる第１搬送経路および第２排出口に通じる第２搬送経路を有し、前記第１搬送経路に前記シートを案内する第１切替状態と、前記第２搬送経路に前記シートを案内する第２切替状態とに切替わる搬送経路切替部と、前記搬送経路切替部が、前記第１切替状態または前記第２切替状態の何れの状態にあるかを示す切替情報を生成する情報生成部と、不揮発性の記憶部と、制御部と、を備え、前記制御部は、前記情報生成部から前記切替情報を第１切替情報として取得する第１取得処理と、取得した前記第１切替情報を前記記憶部に記憶させる記憶処理と、当該シート搬送装置の起動の際に、前記情報生成部から前記切替情報を第２切替情報として取得する第２取得処理と、前記記憶部に記憶されている前記第１切替情報が、前記第２取得処理により取得される前記第２切替情報に一致するか否かを判断する判断処理と、前記判断処理において、前記第１切替情報が前記第２切替情報に一致しないと判断される場合、前記搬送部の前記ローラを回転させず、前記第１切替情報が前記第２切替情報に一致すると判断される場合、前記搬送部の前記ローラを回転させる、ローラ回転処理と、を実行する。
本構成によれば、記憶部に記憶されている第１切替情報が、当該シート搬送装置の起動の際に取得される第２切替情報に一致しないと判断される場合、シート搬送装置の起動時において、搬送部のローラが回転されない。そのため、例えば、シートの搬送の際に、シートのサイズがわからない位置でその搬送が中断され、その中断中に搬送経路切替部の切替状態が変更されるようなことがあっても、シート搬送装置の起動時においてローラが回転される場合に、シートが誤った搬送経路に搬送されることを抑制でき、シートが破損することを抑制することができる。すなわち、起動時に搬送部のローラを回転させる処理を行う場合において、シートが破損することを抑制することができる。
【０００７】
上記シート搬送装置において、前記情報生成部は、前記給紙トレイに設けられ、前記シートの大きさに関する種別を検出するトレイ検知部と、前記搬送経路切替部の切替状態の切替えに連動して前記切替情報を生成する切替検知部とを含み、前記制御部は、前記第１取得処理において、前記トレイ検知部から前記第１切替情報を取得し、前記第２取得処理において、前記切替検知部から前記第２切替情報を取得するようにしてもよい。
搬送経路切替部の切替状態は、シートの大きさに関する種別、例えば、シートが、はがきサイズかＡ４サイズかの種別に応じて、切替えられる。そのため、トレイ検知部から得られるシートの大きさに関する種別の情報から、搬送経路切替部の切替情報を得ることができる。
【０００８】
また、上記シート搬送装置において、前記情報生成部は、前記搬送経路切替部の切替状態の切替えに連動して前記切替情報を生成する切替検知部を含み、前記制御部は、前記第１取得処理における前記第１切替情報、および前記第２取得処理における前記第２切替情報を、前記切替検知部から取得するようにしてもよい。
本構成によれば、第１切替情報および第２切替情報が、搬送経路切替部の切替状態の切替えに連動して切替情報を生成する、同一の切替検知部から直接、得られるため、確実な切替情報が得られる。
【０００９】
また、本明細書によって開示される画像読取装置は、上記いずれかに記載のシート搬送装置と、前記シートである原稿を読取る読取部と、ユーザの指示を受け付ける受付部と、を備え、前記制御部は、前記搬送部および前記読取部を制御して前記原稿を読取る搬送読取処理を実行し、前記第２取得処理と、前記判断処理と、前記ローラ回転処理とを含む、起動時ローラ回転制御処理を、前記受付部が当該画像読取装置の起動の指示を受け付けた際に実行し、前記第１取得処理および前記記憶処理を、前記起動の指示以前における当該画像読取装置の動作時において前記搬送読取処理を実行する際に実行する。
本構成によれば、画像読取装置の起動時以降に、搬送経路内に原稿が残留しない状態とするために起動時ローラ回転制御処理を行う場合に、記憶部に記憶されている第１切替情報が、当該画像読取装置の起動の際に取得される第２切替情報に一致しないと判断される場合、搬送部のローラが回転されない。そのため、例えば、前回起動中における原稿の搬送の際に、電源がオフされたことによって、原稿のサイズがわからない位置でその搬送が中断され、その中断中に搬送経路切替部の切替状態が変更されるようなことがあっても、起動時ローラ回転制御処理を行う場合に、原稿が誤った搬送経路に搬送されることを抑制できる。それによって、原稿が破損することを抑制することができる。
【００１０】
上記画像読取装置において、前記原稿が排紙される排紙トレイを備え、前記制御部は、前記搬送読取処理において、前記搬送部を制御して前記原稿を前記排紙トレイに排紙する排紙処理と、前記排紙処理が完了したか否かを判断する完了判断処理と、前記排紙処理が完了したと判断する場合、前記記憶部に記憶された前記第１切替情報を消去する消去処理と、をさらに実行し、前記受付部が当該画像読取装置の起動の指示を受け付けた際に、前記記憶部に前記第１切替情報が記憶されていない場合、前記起動時ローラ回転制御処理を実行しないようにしてもよい。
画像読取装置の起動時に、記憶部に第１切替情報が記憶されていない場合は、搬送読取処理において原稿の排紙処理が完了しており、搬送経路内に原稿が残っている可能性は低い。そのため、起動時に、記憶部に第１切替情報が記憶されていない場合は起動時ローラ回転制御処理を実行しないことによって、起動時に無駄にローラ回転処理を実行することを抑制することができる。
【００１１】
また、上記画像読取装置において、前記制御部は、前記受付部が当該画像読取装置の起動の指示を受け付けた場合、前記起動時ローラ回転制御処理を含む初期化処理を実行し、前記記憶部に前記第１切替情報が記憶されていない場合、前記初期化処理において前記起動時ローラ回転制御処理を実行しないようにしてもよい。
本構成によれば、記憶部に第１切替情報が記憶されていない場合、すなわち、起動時に残留原稿がないと判断される場合、初期化処理の一部である起動時ローラ回転制御処理を実行しないので、初期化処理に掛かる時間を短縮することになり、読取処理開始までの時間を短縮することが期待できる。
【発明の効果】
【００１２】
本明細書によって開示されるシート搬送装置では、起動時に搬送部のローラを回転させる処理を行う場合においても、シートが破損することを抑制することができる。
【図面の簡単な説明】
【００１３】
【図１】画像読取装置の概略的な断面図
【図２】本体部の概略的な上面図
【図３】画像読取装置の電気的構成を概略的に示すブロック図
【図４】搬送読取処理を概略的に示すフローチャート
【図５】初期化処理の一部を概略的に示すフローチャート
【図６】起動時ローラ回転制御処理を示すフローチャート
【図７】エラー検知処理を示すフローチャート
【図８】大型原稿エラー検知処理を示すフローチャート
【図９】小型原稿エラー検知処理を示すフローチャート
【発明を実施するための形態】
【００１４】
＜実施形態＞
一実施形態を、図１から図９を用いて説明する。
【００１５】
１．画像読取装置の機械的構成
図１に示すように、画像読取装置１は、ユーザによって給紙トレイ２に載置された複数の原稿Ｇを排紙トレイ４Ａ、４Ｂに搬送するとともに、搬送中の原稿Ｇを本体部３に含まれるＣＩＳ（ｃｏｎｔａｃｔ  ｉｍａｇｅ  ｓｅｎｓｏｒ）３０を用いて読み取るシートフィードスキャナである。給紙トレイ２は載置部の一例であり、ＣＩＳ３０は読取部の一例であり、原稿Ｇはシートの一例である。
【００１６】
画像読取装置１は、大きくは本体部３およびシート搬送装置１０を含む。本体部３には、給紙トレイ２と排紙トレイ４を接続する搬送経路２２が設けられており、搬送経路２２の周辺に、給紙ローラ４０、分離パッド４２、第１搬送ローラ４４、第２搬送ローラ４６、切替板４８、ＣＩＳ３０、フロントセンサ（以下、「Ｆセンサ」と記す）１３、およびリアセンサ（以下、「Ｒセンサ」と記す）１４が設けられる。給紙ローラ４０、第１搬送ローラ４４、および第２搬送ローラ４６は、ローラの一例である。
【００１７】
給紙ローラ４０は、モータＭ（図３参照）により駆動され、給紙トレイ２に載置された原稿Ｇに当接して回転し、給紙トレイ２に載置された原稿Ｇを本体部３の内部へと送り出す。この際、原稿Ｇは、分離パッド４２の摩擦力により各原稿Ｇに分離され、搬送経路２２へと送り出される。
【００１８】
給紙トレイ２には、給紙トレイ２に載置された原稿Ｇを介してお互いに対向する吸入ローラ５０および吸入パッド５２が設けられている。吸入ローラ５０および吸入パッド５２は、給紙ローラ４０および分離パッド４２が給紙トレイ２に載置された原稿Ｇを搬送経路２２へと送り出すのを補助する。
【００１９】
搬送ローラ４４、４６は、給紙ローラ４０と同様にモータＭにより駆動され、本体部３の内部へと引き込まれた原稿Ｇを搬送経路２２に沿って搬送方向Ｄ２に搬送する。搬送経路２２において、第１搬送ローラ４４は、第２搬送ローラ４６よりも上流側に載置されている。
【００２０】
第１搬送ローラ４４は、給紙ローラ４０により本体部３の内部へと引き込まれた原稿シートＧを搬送経路２２に沿って連続して搬送する。給紙ローラ４０および第１搬送ローラ４４では、搬送速度が給紙ローラ４０よりも第１搬送ローラ４４のほうが速く設定されている。なお、本実施形態では、給紙ローラ４０および第１搬送ローラ４４では、当該搬送速度の差、および原稿Ｇの搬送方向Ｄ２における長さである原稿長Ｌ０に基づいて連続して搬送される複数の原稿Ｇの間の距離である紙間距離Ｚが決定される構成、いわゆるワンウェイクラッチ機構が構成されている。そのため、後述する中央処理装置（以下、「ＣＰＵ」と記す）２０は原稿Ｇを搬送するに先だって、紙間距離Ｚを決定するために原稿長Ｌ０を識別する必要がない。なお、原稿Ｇを搬送する構成は、ワンウェイクラッチ機構に限られない。
【００２１】
ＣＩＳ３０は、搬送経路２２上の第１搬送ローラ４４と第２搬送ローラ４６との間の第１読取位置Ｙ１に配置され、搬送ローラ４４、４６によって搬送される原稿Ｇの一方の面を搬送方向Ｄ２と直交する主走査方向Ｄ１に読み取る。
【００２２】
第２搬送ローラ４６は、原稿Ｇを排紙トレイ４Ａ、４Ｂに排出する。第２搬送ローラ４６の搬送経路２２を挟んで対向する位置に、切替板４８が配置されている。切替板４８は、その姿勢が、排紙トレイ４Ａへと続くＵターンパス（以下、Ｕパスと記す）２２Ａに沿った第１姿勢（図１の実線参照：第１切替状態の一例）と、排紙トレイ４Ｂへと続くストレートパス（以下、Ｓパスと記す）２２Ｂに沿った第２姿勢（図１の二点鎖線参照：第２切替状態の一例）とに切り替わる。切替板４８は、搬送経路切替部の一例である。
【００２３】
また、搬送経路２２はＵパス２２ＡおよびＳパス２２Ｂを含む。Ｕパス２２Ａは湾曲部６０を有し、第１搬送経路の一例であり、Ｓパス２２Ｂは、第２搬送経路の一例である。またＵパス２２Ａと排紙トレイ４Ａとの境界部分５Ａは、第１排出口の一例であり、Ｓパス２２Ｂと排紙トレイ４Ｂとの境界部分であり、本体部３の外側ケースに設けられた開口５Ｂは、第２排出口の一例である。
【００２４】
Ｕパス２２ＡおよびＳパス２２Ｂは、搬送経路２２が第２搬送ローラ４６に原稿搬送上流側から到達する位置において搬送経路２２が分岐してなる。Ｓパス２２Ｂは、略直線状に設けられており、名刺やハガキなどの小型原稿の搬送に用いられる。また、Ｕパス２２Ａは、その一部が第２搬送ローラ４６に沿った曲線状に設けられており、Ａ４サイズ原稿などの大型原稿の搬送に用いられる。
【００２５】
排紙トレイ４Ａは、本体部３上部の外側ケースによって構成されている。また、排紙トレイ４Ｂは、本体部３の外側ケースの一部をなすトレイ板５４によって構成される。トレイ板５４は、本体部３に対して回動可能に構成されており、開口５Ｂを覆う閉状態（図１の実線参照）から、開口５Ｂを開放する開状態（図１の二点鎖線参照）に回動することで、排紙トレイ４Ｂを構成する。
【００２６】
切替板４８は、連結部材５８を介してトレイ板５４と連結されており、トレイ板５４の状態に連動して姿勢が切り替わる。すなわち、切替板４８は、トレイ板５４が閉状態となると、原稿ＧをＵパス２２Ａに案内する第１姿勢に切り替わり、トレイ板５４が開状態となると、原稿ＧをＳパス２２Ｂに案内する第２姿勢に切り替わる。また、本体部３には、トレイ板５４の開閉状態を検出するトレイ板検知センサ１５が設けられている。トレイ板検知センサ１５は、トレイ板５４が閉状態の場合にオンし、トレイ板５４が開状態の場合にオフする。ここでトレイ板検知センサ１５は、情報生成部の一例である。すなわち、トレイ板検知センサ１５のオン信号（第２切替情報の一例）は、切替板４８が第１姿勢にあることを示し、トレイ板検知センサ１５のオフ信号（第２切替情報の一例）は、切替板４８が第２姿勢にあることを示す。また、トレイ板検知センサ１５は、切替検知部の一例であり、切替板４８の切替状態の切替えに連動して切替情報を生成する。
【００２７】
切替板４８が図１に実線で示す第１姿勢である場合、原稿ＧはＵパス２２Ａに沿って搬送され、排紙トレイ４Ａに排紙される。一方、切替板４８が図１に二点鎖線で示す第２姿勢である場合、原稿ＧはＳパス２２Ｂに沿って搬送され、排紙トレイ４Ｂに排紙される。つまり、切替板４８の姿勢により、給紙トレイ２に載置された原稿Ｇがいずれの搬送経路２２に案内されるかが決定される。そして、吸入ローラ５０と給紙ローラ４０と第１搬送ローラ４４と第２搬送ローラ４６とによって、給紙トレイ２に載置された原稿Ｇを搬送経路２２に沿って搬送する搬送部５６が形成されている。
【００２８】
Ｆセンサ１３は、給紙トレイ２内の検出位置Ｙ２に配置され、給紙トレイ２に原稿Ｇが載置された場合にオンし、給紙トレイ２に原稿Ｇが載置されていない場合にオフする。Ｒセンサ１４は、搬送経路２２において第１搬送ローラ４４と第１読取位置Ｙ１との間の検出位置Ｙ３に配置され、原稿Ｇが搬送経路２２上の検出位置Ｙ３を通過する場合にオンし、原稿Ｇが検出位置Ｙ３を通過していない場合にオフする。つまり、Ｒセンサ１４は、検出位置Ｙ３を通過する原稿Ｇを検出する。
【００２９】
また、搬送方向Ｄ２においてＦセンサ１３と同じ検出位置Ｙ２には、原稿サイズ検知センサ１６（図２参照）が配置されている。図２に示されるように、原稿Ｇが中央寄せで給紙トレイ２にセットされる構成において、原稿サイズ検知センサ１６は、給紙トレイ２の中央から外側に所定距離、離間して配置されている。それによって、原稿サイズ検知センサ１６は、原稿Ｇの大きさに関する種別を検出する。すなわち、原稿サイズ検知センサ１６は、給紙トレイ２に載置された原稿Ｇの主走査方向Ｄ１における原稿幅が基準幅以上の大型原稿である場合にオン信号（第１切替情報の一例）を生成し、基準幅よりも小さい小型原稿である場合にオフ信号（第１切替情報の一例）をする。原稿サイズ検知センサ１６は、情報生成部およびトレイ検知部の一例である。なお、第１切替情報を生成する情報生成部は、原稿サイズ検知センサ１６に限られず、例えば、トレイ板検知センサ１５、あるいはＣＩＳ３０であってもよい。
【００３０】
また、大型原稿は、第１シート種の一例であり、具体的には、例えば、Ａ６サイズよりも大きい原稿である。また、小型原稿は、第２シート種の一例であり、具体的には、例えば、Ａ６サイズ以下の原稿である。本実施形態では、大型原稿と小型原稿を区分する基準幅が、開口５Ｂの主走査方向Ｄ１の幅、具体的には、Ａ６サイズの原稿幅に設定されている。
【００３１】
さらに、画像読取装置１には、電源スイッチや各種設定ボタンからなり、ユーザからの操作指令等を受け付ける操作部１１（図３参照）、およびＬＥＤや液晶ディスプレイからなり読取装置１の状況を表示する表示部１２（図３参照）等が設けられている。
【００３２】
図２に本体部３の内部を上面視して示すように、搬送経路２２は、主走査方向Ｄ１において所定の幅ＷＴを有しており、原稿Ｇは搬送経路２２に連続する給紙トレイ２に載置される際に、主走査方向Ｄ１において中央基準で載置される。そして、原稿Ｇは、搬送経路２２を搬送される際に、大型原稿は、搬送経路２２の主走査方向Ｄ１に幅ＷＴを有する搬送領域ＲＷを用いて搬送され、小型原稿は、搬送領域ＲＷの中央の一部領域であり、所定の幅ＷＭを有する中央領域ＲＭのみを用いて搬送される。
【００３３】
中央領域ＲＭおよびトレイ板５４の主走査方向Ｄ１における幅ＷＭは、基準幅と等しく設定されている。そのため、トレイ板５４によって構成される排紙トレイ４Ｂには、中央領域ＲＭのみを用いて搬送される小型原稿（図２の二点鎖線参照）が排出される。その一方、図１に示すＵパス２２Ａ、排紙トレイ４Ａ、および境界部分５Ａの主走査方向Ｄ１における幅は、基準幅ＷＭ以上に設定されている。そのため、排紙トレイ４Ａには、中央領域ＲＭと中央領域ＲＭの外側の領域とを用いて搬送された大型原稿（図２の一点鎖線参照）が排出される。
【００３４】
Ｆセンサ１３およびＲセンサ１４は、検出位置Ｙ２の中央領域ＲＭの主走査方向Ｄ１における中央近傍に配置されている。また、原稿サイズ検知センサ１６は、検出位置Ｙ２の中央領域ＲＭよりも外側の領域であって、中央領域ＲＭとの境界近傍に配置されている。
【００３５】
ここで、画像読取装置１の機械的構成の内、給紙トレイ２、搬送部５６、搬送経路２２，２２Ａ，２２Ｂ、切替板４８は、シート搬送装置１０を構成する。
【００３６】
２．画像読取装置の電気的構成
図３に示すように、画像読取装置１は、ＣＰＵ２０、ＲＯＭ２５、ＮＶＲＡＭ（不揮発性ＲＡＭ）２６、ＲＡＭ２７、デバイス制御部２３、アナログフロントエンド（以下、ＡＦＥと記す）２４、および搬送部駆動回路２８を備え、これらにバス１９を介して、操作部１１、表示部１２、および各種センサ１３〜１６が接続されている。ＣＰＵ２０は制御部の一例であり、ＮＶＲＡＭ２６は不揮発性の記憶部の一例である。
【００３７】
ＲＯＭ２５には、画像読取装置１の動作を制御するための各種のプログラムが記憶されており、ＣＰＵ２０は、ＲＯＭ２５から読み出したプログラムに従って各部の制御を行うとともに、後述する搬送読取処理を実行する。また、ＲＯＭ２５には、各種メッセージが記憶されている他、基準幅および基準幅に相当する原稿サイズが記憶されている。
【００３８】
デバイス制御部２３は、ＣＩＳ３０に接続されており、ＣＰＵ２０からの命令に基づいて読取制御信号をＣＩＳ３０に送信する。ＣＩＳ３０は、デバイス制御部２３からの読取制御信号に基づいて原稿Ｇの面を読み取る。
【００３９】
ＮＶＲＡＭ２６には、原稿サイズ検知センサ１６が検出した検出結果が切替板４８の第１切替情報として記憶される。具体的には、第１切替情報として、原稿サイズ検知センサ１６からの検出信号に基づいて、原稿フラグに対応したデータが記憶される。すなわち、搬送部５６によって搬送される原稿Ｇが大型原稿である場合、原稿サイズ検知センサ１６は、検出信号として「オン」信号（第１切替情報の一例）を生成し、このとき、原稿フラグ「大」に対応したデータがＮＶＲＡＭ２６に記憶される。この場合、切替板４８は原稿ＧをＵパス２２Ａに沿って搬送するために第１姿勢にある。
【００４０】
一方、搬送部５６によって搬送される原稿Ｇが小型原稿である場合、原稿サイズ検知センサ１６は、検出信号として「オフ」信号（第１切替情報の一例）を生成し、このとき、原稿フラグ「小」に対応したデータがＮＶＲＡＭ２６に記憶される。この場合、切替板４８は原稿ＧをＳパス２２Ｂに沿って搬送するために第２姿勢にある。また、後述するように、搬送読取によって原稿Ｇが排紙トレイに排紙された場合には、第１切替情報が消去されたことを示す、原稿フラグ「オフ」に対応したデータがＮＶＲＡＭ２６に記憶される。
【００４１】
ＡＦＥ２４は、ＣＩＳ３０に接続されており、ＣＩＳ３０から出力されるアナログ信号の読取データをデジタル信号、つまり階調データの読取データに変換する。ＡＦＥ２４は、変換した階調データを、バス１９を介してＲＡＭ２７に記憶する。
【００４２】
搬送部駆動回路２８は、モータＭに接続され、ＣＰＵ２０から入力されるパルス信号に基づいてモータＭを回転駆動する。モータＭは、ステッピングモータであり、パルス信号の１パルスで、１ステップの回転角度分、回転駆動する。モータＭが１ステップ分駆動すると、搬送部５６を構成する各ローラが所定角度回転し、搬送経路２２上を原稿Ｇが所定距離だけ搬送される。ＣＰＵ２０は、原稿Ｇを搬送する際に、搬送部駆動回路２８にパルス信号を送信し、これに従って搬送部５６は、そのパルス信号のパルスの数に所定距離を掛けた距離だけ原稿Ｇを搬送する。以後、ＣＰＵ２０がモータＭに送信するパルス信号のパルスの数を、ステップ数と呼ぶ。
【００４３】
ここで、画像読取装置の電気的構成の内、Ｆセンサ１３，Ｒセンサ１４、トレイ板検知センサ１５、原稿サイズ検知センサ１６、ＣＰＵ２０、ＮＶＲＡＭ２６、およびモータＭは、シート搬送装置１０を構成する。
【００４４】
３．起動時の初期化処理
次に、図４から図９を参照して、画像読取装置１の起動時の初期化処理を説明する。電源起動時の初期化処理においては、読取データを補正するための、周知の白データ取得等の他に、後述する起動時ローラ回転制御処理が行われる。なお、電源起動時ローラ制御処理は、電源起動時の初期化処理の一部として行われることに限られない。また、周知の白データ取得等の初期化処理の説明は省略する。
【００４５】
また、起動時の初期化処理は、起動時に搬送経路中に原稿Ｇが残留しているか否かに関係なく、画像読取装置１の起動に応じて開始される。これは、搬送読取処理が開始される前に、搬送経路２２，２２Ａ，２２Ｂ内に原稿Ｇが残留していると、残留している原稿Ｇが読取られる等の不要な処理が発生するため、搬送読取処理が開始される前に、原稿Ｇが搬送経路２２，２２Ａ，２２Ｂ内に存在しない状態を確保するためである。
【００４６】
起動時の初期化処理の説明に先立って、当該起動時以前の画像読取装置１の起動中における搬送読取処理について図４を参照して説明する。搬送読取処理では、起動時ローラ回転制御処理において参照される原稿フラグが、ＮＶＲＡＭ２６に記憶される。
【００４７】
具体的には、搬送読取処理において搬送される原稿Ｇが、例えば、Ａ６サイズよりも大きい原稿幅を有する大型原稿である第１原稿種の場合には、原稿フラグが「大」に設定され、原稿フラグ「大」が、詳しくは、原稿フラグ「大」に対応したデータがＮＶＲＡＭ２６に記憶される。一方、搬送される原稿Ｇが、例えば、Ａ６サイズ以下の原稿幅を有する小型原稿である第２原稿種の場合には、原稿フラグが「小」に設定され、原稿フラグ「小」が、詳しくは、原稿フラグ「小」に対応したデータがＮＶＲＡＭ２６に記憶される。また、原稿Ｇの読取が完了して原稿Ｇが排紙トレイ４Ａ、あるいは、排紙トレイ４Ｂに排紙された場合には、原稿フラグが「オフ」に設定され、原稿フラグ「オフ」が、詳しくは、原稿フラグ「オフ」に対応したデータがＮＶＲＡＭ２６に記憶される。
【００４８】
３−１．搬送読取処理
ＣＰＵ２０は、Ｆセンサ１３を用いて給紙トレイ２に原稿Ｇが載置されたことが確認され、すなわち、Ｆセンサ１３がオンしているとの信号を受信し、操作部１１を介してユーザから原稿Ｇの搬送読取指示が入力されると、搬送読取処理を開始する。
【００４９】
ＣＰＵ２０は、搬送読取処理を開始すると、まず、搬送部５６に対して原稿Ｇの搬送を指示し、原稿Ｇの搬送を開始させるとともに、原稿サイズ検知センサ１６から検出信号であるサイズ検出信号を受け取る（ステップＳ１０５：第１取得処理の一例）。次に、ＣＰＵ２０は、原稿サイズ検知センサ１６からの検出信号に基づいて、原稿サイズ検知センサ１６がオンしているか否かを判断する（ステップＳ１１０）。原稿サイズ検知センサ１６がオフしていると判断した場合（ステップＳ１１０：ＮＯ）に、給紙トレイ２に載置された原稿Ｇが小型原稿であることを検出し、原稿フラグ「小」に対応したデータをＮＶＲＡＭ２６に記憶させる（ステップＳ１１５；記憶処理の一例）。
【００５０】
一方、原稿サイズ検知センサ１６がオンしていると判断した場合（Ｓ１１０：ＹＥＳ）に、給紙トレイ２に載置された原稿Ｇが大型原稿であることを検出し、原稿フラグ「大」に対応したデータをＮＶＲＡＭ２６に記憶させる（ステップＳ１２０；記憶処理の一例）。
【００５１】
次いで、ＣＰＵ２０は、モータＭを所定ステップ駆動して原稿Ｇを検出位置Ｙ３から読取位置Ｙ１に移動させ、原稿Ｇの読取処理を行う（ステップＳ１２５）。一枚の原稿Ｇの読取処理が終了すると、ＣＰＵ２０は、Ｆセンサ１３がオンか否か、すなわち、給紙トレイ２に次の原稿Ｇが残っているか否かを判断する（ステップＳ１３０）。Ｆセンサ１３がオンしている場合（ステップＳ１３０：ＹＥＳ）、つまり、給紙トレイ２に次の原稿Ｇが残っている場合に、次の原稿Ｇに対してステップＳ１１０からステップＳ１３０までの処理を繰り返す。なお、ステップＳ１１０からの処理が繰り返される場合、原稿フラグは更新され、例えば、給紙トレイ２に残存する最も大きな原稿Ｇに対応した原稿フラグのデータがＮＶＲＡＭ２６に記憶される。
【００５２】
一方、ＣＰＵ２０は、Ｆセンサ１３がオフしている場合（ステップＳ１３０：ＮＯ）、つまり、給紙トレイ２に次の原稿Ｇが残っていない場合に、搬送部５６を制御して読取が終了した原稿Ｇを、排紙トレイ４Ａ、あるいは排紙トレイ４Ｂに排紙するためにさらに搬送させる（ステップＳ１３５：排紙処理の一例）。そして、読取位置Ｙ１と、排紙トレイ４Ａ、あるいは、排紙トレイ４Ｂとの間の距離に相当する所定の排紙ステップ数ＳＮ１だけ原稿Ｇの後端が搬送されたか否かを判断する（ステップＳ１４０：完了判断処理の一例）。なお、排紙ステップ数ＳＮ１は、原稿Ｇを排紙トレイ４Ａ、あるいは排紙トレイ４Ｂに排紙するためステップ数として、各排紙トレイに対応してそれぞれ設定されている。
【００５３】
原稿Ｇが排紙ステップ数ＳＮ１、搬送されていない場合（ステップＳ１４０：ＮＯ）、ステップＳ１４０の処理を繰り返す。一方、ＣＰＵ２０は、原稿Ｇが排紙ステップ数ＳＮ１、搬送されると（ステップＳ１４０：ＹＥＳ）、搬送部５６に対して原稿Ｇの搬送終了を指示し、原稿Ｇの搬送を終了する（ステップＳ１４５）。
【００５４】
そして、原稿Ｇが排紙トレイ４Ａ、あるいは、排紙トレイ４Ｂに排紙されたことを示す原稿フラグ「オフ」をＮＶＲＡＭ２６に記憶させ（ステップＳ１５０）、搬送読取処理を終了する。ステップＳ１５０の処理は、消去処理の一例である。
このように、搬送読取処理では、電源起動時のローラ回転制御処理において参照される原稿フラグのデータが、ＮＶＲＡＭ２６に記憶される。
【００５５】
３−２．初期化処理
次に、図５から図９を参照して、画像読取装置１の起動時の初期化処理の一部について説明する。図５に示されるように、起動時の初期化処理において、ＣＰＵ２０は、まず、ＮＶＲＡＭ２６から原稿フラグの値、すなわち、原稿フラグのデータを取得する（ステップＳ２０５）。次いで、ＣＰＵ２０は、取得した原稿フラグが「オフ」であるか否か、すなわち、前回の起動中の搬送読取処理において、原稿Ｇが、正常に排紙トレイ４Ａ、あるいは、排紙トレイ４Ｂに排紙されたか否かを判断する（ステップＳ２１０）。
【００５６】
原稿フラグが「オフ」であると判断した場合（ステップＳ２１０：ＹＥＳ）、ステップＳ３００の起動時ローラ回転制御処を実行せず、起動時の初期化処理の一部を終了する。これは、原稿フラグが「オフ」である場合、今回起動時前の搬送読取処理において、原稿Ｇが、正常に排紙トレイ４Ａ、あるいは、排紙トレイ４Ｂに排紙されており、起動時に搬送経路２２，２２Ａ，２２Ｂ内に原稿Ｇが残留しておらず、ステップＳ３００の起動時ローラ回転制御処を実行する必要がないためである。
【００５７】
一方、原稿フラグが「オフ」でなく、ＮＶＲＡＭ２６に記憶された原稿幅が消去されていないと判断した場合、言い換えれば、原稿フラグが「大」あるいは「小」であると判断した場合、（ステップＳ２１０：ＮＯ）、ステップＳ３００の起動時ローラ回転制御処理を実行する。すなわち、前回起動中の搬送読取処理において、原稿Ｇが、正常に排紙トレイ４Ａ、あるいは、排紙トレイ４Ｂに排紙されていないと認識される場合、今回起動時に搬送経路２２，２２Ａ，２２Ｂ内に原稿Ｇが残留している可能性があるので、ステップＳ３００の起動時ローラ回転制御処理が実行される。
【００５８】
４．起動時ローラ回転制御処理
次に、図６から図９を参照して、起動時の初期化処理における起動時ローラ回転制御処理について説明する。
【００５９】
起動時ローラ回転制御処理において、ＣＰＵ２０は、図６に示されるように、まず、ＮＶＲＡＭ２６から読み出した原稿フラグの値に基づいて、「エラー検知処理」を実行する（ステップＳ３０５）。そのため、まず、図７から図９を参照して、「エラー検知処理」について説明する。
【００６０】
４−１．「エラー検知処理」
エラー検知処理において、ＣＰＵ２０は、図７に示されるように、ＮＶＲＡＭ２６に記憶された原稿フラグが「大」であるか否かを判断する（ステップＳ３０６）。原稿フラグが「大」である場合（ステップＳ３０６：ＹＥＳ）、大型原稿が搬送経路２２，２２Ａ内に残留していると想定して、ＣＰＵ２０は、大型原稿に係る、大型原稿エラー検知処理を実行する（ステップＳ４００）。
【００６１】
一方、原稿フラグが「大」でない場合、言い換えれば、原稿フラグが「小」である場合、（ステップＳ３０６：ＮＯ）、小型原稿が搬送経路２２，２２Ｂ内に残留していると想定して、ＣＰＵ２０は、小型原稿に係る、小型原稿エラー検知処理を実行する（ステップＳ５００）。
【００６２】
４−１−１．大型原稿エラー検知処理
次に、図８を参照して、大型原稿エラー検知処理を説明する。大型原稿エラー検知処理では、ＣＰＵ２０は、まず、トレイ板検知センサ１５の検出信号を受信し、その検出信号から、トレイ板５４の開閉情報、すなわち、切替板４８の切替情報（第２切替情報）を取得する（ステップＳ４０２：第２取得処理の一例）。すなわち、トレイ板検知センサ１５の検出信号が「オン」の場合は、トレイ板５４が閉じており、切替板４８が第１姿勢にある情報を得る。一方、トレイ板検知センサ１５の検出信号が「オフ」の場合は、トレイ板５４が開いており、切替板４８が第２姿勢にある情報を得る。
【００６３】
次いで、ＣＰＵ２０は、トレイ板検知センサ１５がオンしているか否かを判断する（ステップＳ４０５：判断処理の一例）。ここで、ＣＰＵ２０は、ステップＳ４０５の判断処理によって、ＮＶＲＡＭ２６に記憶されている原稿フラグが「大」で示される原稿Ｇの幅が、すなわち、大型原稿の幅が、トレイ板検知センサ１５の検出信号で示される切替板４８の切替状態に適合するか否かを判断する。言い換えれば、ＮＶＲＡＭ２６に記憶されている第１切替情報が、第２取得処理により取得される第２切替情報に一致するか否かを判断する。
【００６４】
ＣＰＵ２０は、トレイ板検知センサ１５がオフしている場合（ステップＳ４０５：ＮＯ）、トレイ板５４が開状態であり、それに伴って切替板４８が第２姿勢であることを認識する。すなわち、大型原稿が搬送経路２２，２２Ｂ内に残留している場合において搬送部５６のローラ４０，４４，４６を回転させると、大型原稿が誤ってＳパス２２Ｂに沿って搬送される設定となっていることを検知する。そのため、ＣＰＵ２０は、この場合、エラーフラグを「オン」にセットして（ステップＳ４１０）、大型原稿エラー検知処理を終了する。すなわち、この場合、ローラ４４，４６を回転させると、大型原稿がＳパス２２Ｂに沿って搬送され、排紙に問題が生じると判断し、エラーフラグを「オン」にセットする。なお、この場合、エラーを解除させるために、例えば、「トレイ板が開いているので、トレイ板を閉じて下さい。」との旨のエラーメッセ−ジを、表示部１２に表示させることが好ましい。
【００６５】
このように、大型原稿エラー検知処理において、ＣＰＵ２０は、ＮＶＲＡＭ２６に記憶された記憶原稿幅が、大型原稿の原稿幅であって、第２排出口５Ｂの幅方向における幅を示す基準幅以上のシート幅を有する第１シート種のシート幅であり、トレイ板検知センサ１５がオフしている場合（ステップＳ４０５：ＮＯ）、すなわち、切替情報が切替板４８の第２切替状態を示す場合、エラーフラグを「オン」にセットする（ステップＳ４２０）。そして、後述するように、起動時ローラ回転制御処理においてローラ４０，４４，４６を回転させない（ステップＳ３１０参照）。これによって、例え起動時に大型原稿が搬送経路２２内に残留する場合であっても、大型原稿の搬送は行わないことにより、ジャムの発生を防止することになり、大型原稿が破損することを抑制することができる。
【００６６】
一方、ＣＰＵ２０は、トレイ板検知センサ１５がオンしている場合（ステップＳ４０５：ＹＥＳ）、つまり、トレイ板５４が閉状態であり、それに伴って切替板４８が第１姿勢であることを認識すると、Ｆセンサ１３がオンしているか否かを判断する（ステップＳ４１５）。ＣＰＵ２０は、Ｆセンサ１３がオンしていない場合（ステップＳ４１５：ＮＯ）、つまり、給紙トレイ２に原稿Ｇが存在しない場合には、エラーフラグを「オフ」にセットし（ステップＳ４２０）、大型原稿エラー検知処理を終了する。すなわち、この場合、切替板４８が第１姿勢にあり、かつ給紙トレイ２に原稿Ｇが存在しない場合には、大型原稿が搬送経路２２，２２Ｂ内に残留している場合であってもローラ４４，４６を回転させても問題が生じないと判断し、エラーフラグを「オフ」にセットする。
【００６７】
一方、ＣＰＵ２０は、Ｆセンサ１３がオンしている場合（ステップＳ４１５：ＹＥＳ）、つまり、給紙トレイ２に原稿Ｇが存在する場合には、原稿サイズ検知センサ１６から検出信号を受け取る（ステップＳ４２２）。
【００６８】
そして、原稿サイズ検知センサ１６からの検出信号に基づき、原稿サイズ検知センサ１６がオンしているか否かを判断する（ステップＳ４２５）。ＣＰＵ２０は、原稿サイズ検知センサ１６がオフしている場合（ステップＳ４２５：ＮＯ）、給紙トレイ２に小型原稿が載置されていると判断する。この場合、ローラ４０，４４，４６を回転させると、小型原稿がＵパス２２Ａに沿って搬送され、小型原稿を破損するおそれがある。そのため、ＣＰＵ２０は、この場合、エラーフラグを「オン」にセットして（ステップＳ４３０）、大型原稿エラー検知処理を終了する。なお、この場合、エラーを解除させるために、例えば、「原稿を給紙トレイから取り除いて下さい。」との旨のエラーメッセ−ジを表示部１２に表示させることが好ましい。
【００６９】
一方、ＣＰＵ２０は、原稿サイズ検知センサ１６が「オン」している場合（ステップＳ４２５：ＹＥＳ）、大型原稿が給紙トレイ２に存在していると判断する。この場合、ローラ４０，４４，４６を回転させて大型原稿を搬送しても支障がないため、ＣＰＵ２０は、エラーフラグを「オフ」にセットし（ステップＳ４３５）、大型原稿エラー検知処理を終了する。
【００７０】
なお、大型原稿エラー検知処理において、ステップＳ４０５において、トレイ板検知センサ１５がオンしている場合（ステップＳ４０５：ＹＥＳ）、つまり、トレイ板５４が閉状態であり、それに伴って切替板４８が第１姿勢であることが認識された場合、エラーフラグを「オフ」にセットし（ステップＳ４２０）、大型原稿エラー検知処理を終了するようにしてもよい。すなわち、ステップＳ４１５，Ｓ４２２，Ｓ４２５，Ｓ４３０、およびＳ４３５の処理は省略されてもよい。
【００７１】
４−１−２．小型原稿エラー検知処理
次に、図９を参照して、小型原稿エラー検知処理を説明する。小型原稿エラー検知処理では、ＣＰＵ２０は、大型原稿エラー検知処理と同様に、まず、トレイ板検知センサ１５の検出信号を受信し、その検出信号から、トレイ板５４の開閉情報、すなわち、切替板４８の切替情報（第２切替情報）を取得する（ステップＳ５０２：第２取得処理の一例）。
【００７２】
次いで、ＣＰＵ２０は、トレイ板検知センサ１５がオフしているか否かを判断する（ステップＳ５０５：判断処理の一例）。ここで、ＣＰＵ２０は、ステップＳ５０５の判断処理によって、ＮＶＲＡＭ２６に記憶されている原稿フラグが「小」で示される原稿Ｇの幅が、すなわち、小型原稿の幅が、トレイ板検知センサ１５の検出信号で示される切替板４８の切替状態に適合するか否かを判断する。言い換えれば、ＮＶＲＡＭ２６に記憶されている第１切替情報が、第２取得処理により取得される第２切替情報に一致するか否かを判断する。
【００７３】
ＣＰＵ２０は、トレイ板検知センサ１５が「オン」している場合（ステップＳ５０５：ＮＯ）、つまり、トレイ板５４が閉状態であり、それに伴って切替板４８が第１姿勢であることを取得すると、小型原稿が搬送経路２２，２２Ａ内に残留している場合においてローラ４４，４６を回転させると、小型原稿が誤ってＵパス２２Ａに沿って搬送される設定となっていることを検知する。そのため、ＣＰＵ２０は、この場合、エラーフラグを「オン」にセットして（ステップＳ５１０）、小型原稿エラー検知処理を終了する。なお、この場合、エラーを解除させるために、例えば、「トレイ板が閉じているので、トレイ板を開いて下さい。」との旨のエラーメッセ−ジを、表示部１２に表示させることが好ましい。
【００７４】
一方、ＣＰＵ２０は、トレイ板検知センサ１５がオフしている場合（ステップＳ５０５：ＹＥＳ）、つまり、トレイ板５４が開状態であり、それに伴って切替板４８が第２姿勢であることを取得すると、Ｆセンサ１３の状態を確認する（ステップＳ５１５）。ＣＰＵ２０は、Ｆセンサ１３がオフしている場合（ステップＳ５１５：ＮＯ）、つまり、給紙トレイ２に原稿Ｇが存在しない場合には、ローラ４０，４４，４６を回転させても問題が生じないと判断し、エラーフラグを「オフ」にセットし（ステップＳ５２０）、小型原稿エラー検知処理を終了する。
【００７５】
このように、小型原稿エラー検知処理において、ＣＰＵ２０は、ＮＶＲＡＭ２６に記憶された記憶原稿幅が、小型原稿の原稿幅であって、第２排出口５Ｂの幅方向における幅を示す基準幅未満のシート幅を有する第２シート種のシート幅であり、トレイ板検知センサ１５がオンしている場合（ステップＳ５０５：ＮＯ）、すなわち、切替情報が切替板４８の第１切替状態を示す場合、エラーフラグを「オン」にセットする（ステップＳ５１０）。そして、後述するように、起動時ローラ回転制御処理においてローラ４０，４４，４６を回転させない（ステップＳ３１０参照）。これによって、例え起動時に小型原稿が搬送経路２２内に残留する場合であっても、小型原稿の搬送は行わないことにより、小型原稿が誤ってＵパス２２Ａに沿って搬送され、小型原稿が破損することを抑制することができる。
【００７６】
一方、ＣＰＵ２０は、Ｆセンサ１３がオンしている場合（ステップＳ５１５：ＹＥＳ）、つまり、給紙トレイ２に原稿Ｇが存在している場合には、原稿サイズ検知センサ１６から検出信号を受け取る（ステップＳ５２２：）。そして、原稿サイズ検知センサ１６からの検出信号に基づき、原稿サイズ検知センサ１６がオンしているか否かを判断する（ステップＳ５２５）。ＣＰＵ２０は、原稿サイズ検知センサ１６がオフしている場合（ステップＳ５２５：ＮＯ）、給紙トレイ２に小型原稿が載置されていると判断する。この場合、ローラ４０，４４，４６を回転させて小型原稿を搬送しても搬送に支障が生じない。そのため、ＣＰＵ２０は、この場合、エラーフラグを「オフ」にセットして（ステップＳ５３０）、小型原稿エラー検知処理を終了する。
【００７７】
一方、ＣＰＵ２０は、原稿サイズ検知センサ１６がオンしている場合（ステップＳ５２５：ＹＥＳ）、大型原稿が給紙トレイ２に存在していると判断する。この場合、大型原稿を搬送すると搬送に支障が生じるため、ＣＰＵ２０は、エラーフラグを「オン」にセットし（ステップＳ５３５）、大型原稿エラー検知処理を終了する。なお、この場合、エラーを解除させるために、例えば、「原稿を給紙トレイから取り除いて下さい。」との旨のエラーメッセ−ジを表示部１２に表示させることが好ましい。
【００７８】
なお、小型原稿エラー検知処理において、ステップＳ５０５において、トレイ板検知センサ１５がオフしている場合（Ｓ５０５：ＹＥＳ）、つまり、トレイ板５４が開状態であり、それに伴って切替板４８が第２姿勢であることが認識された場合、エラーフラグを「オフ」にセットし（ステップＳ５２０）、小型原稿エラー検知処理を終了するようにしてもよい。すなわち、ステップＳ５１５，Ｓ５２２，Ｓ５２５，Ｓ５３０、およびＳ５３５の処理は省略されてもよい。
【００７９】
４−２．起動時ローラ回転制御処理
次に、図６に戻って、起動時おいて、原稿フラグが「オフ」でないと判断される場合、言い換えれば、ＮＶＲＡＭ２６に原稿幅が記憶されていると判断される場合（ステップＳ２１０：ＮＯ）に実行される起動時ローラ回転制御処理について説明する。
【００８０】
起動時ローラ回転制御処理において、ＣＰＵ２０は、図６に示されるように、まず上記した「エラー検知処理」を実行する（ステップＳ３０５）。次いで、エラーフラグを参照して、エラーフラグが「オン」にセットされているか否か、すなわち、起動時に残留原稿の排紙に係るエラーが発生しているか否かを判断する（ステップＳ３１０）。エラーフラグが「オン」であると判断した場合（ステップＳ３１０：ＹＥＳ）、すなわち、ステップＳ４１０，Ｓ４３０，ステップＳ５１０，Ｓ５３５においてエラーフラグが「オン」にセットされた場合、ステップＳ３０５にもどり、エラーが解消されるまで、ステップＳ３０５およびＳ３１０の処理を繰返す。
【００８１】
一方、エラーフラグが「オン」でないと判断した場合（ステップＳ３１０：ＮＯ）、すなわち、ステップＳ４１０，Ｓ４３０，ステップＳ５１０，Ｓ５３５においてエラーフラグが「オフ」にセットされた場合、エラーが発生していないとして、ローラ４０，４４，４６の回転を開始させる（ステップＳ３１５）。言い換えれば、ＣＰＵ２０は、第１切替情報が第２切替情報に一致すると判断した場合、ローラ４０，４４，４６の回転を回転させる。これに伴って、起動時に原稿Ｇが搬送経路２２，２２Ａ，２２Ｂ内に残留する場合、あるいは給紙トレイ２に原稿Ｇが存在している場合、排紙のための原稿Ｇの搬送が開始される。
【００８２】
ここで、ステップＳ３１０およびステップＳ３１５の処理は、ステップＳ４０５あるいはステップＳ５０５の判断処理に応じてローラ４０，４４，４６を回転させるか否かの処理を行う、ローラ回転処理の一例である。すなわち、ステップＳ３１０においてエラーフラグが「オン」の場合、ステップＳ３０５に戻ってローラ４０，４４，４６は回転されず、ステップＳ３１０においてエラーフラグが「オフ」の場合、ステップＳ３１５においてローラ４０，４４，４６が回転される。
【００８３】
次いで、ＣＰＵ２０は、ローラ４０，４４，４６の回転開始後において、再度、ステップＳ３０５と同一のエラー検知処理を実行して（ステップＳ３２０）、再度、エラーフラグが「オン」であるか否か判断する（ステップＳ３２５）。これは、ローラ４０，４４，４６の回転開始後においてトレイ板５４の開閉状態が変更される等によって、搬送経路に関する新たなエラーを検知するためである。
【００８４】
ＣＰＵ２０は、ステップＳ３２０のエラー検知処理によって新たにエラーフラグが「オン」であると判断した場合（ステップＳ３２５：ＹＥＳ）、現在、搬送ローラ４０，４４，４６が回転中か否かを判断する（ステップＳ３４０）。
【００８５】
ローラ４０，４４，４６が回転中である場合（ステップＳ３４０：ＹＥＳ）、搬送ローラ４４，４６の回転を停止させる（ステップＳ３４５）。そして、ステップＳ３２０の処理に戻り、エラーが解除されるのを待機する。一方、ローラ４０，４４，４６が回転中でない場合（ステップＳ３４０：ＮＯ）、直接、ステップＳ３２０の処理に戻り、同様に、エラーが解除されるのを待機する。
【００８６】
また、ステップＳ３２５において、エラーフラグが「オン」でないと判断した場合（Ｓ３２５：ＮＯ）、ＣＰＵ２０は、ローラ４０，４４，４６が現在、回転停止中か否かを判断する（ステップＳ３３０）。ローラ４０，４４，４６が現在、回転停止中であると判断した場合（ステップＳ３３０：ＹＥＳ）、ローラ４０，４４，４６の回転を開始させる（ステップＳ３３５）。一方、ローラ４０，４４，４６が現在、回転停止中でないと判断した場合（ステップＳ３３０：ＮＯ）、Ｆセンサ１３がオンしているか否かを判断する（ステップＳ３５０）。
【００８７】
Ｆセンサ１３がオンしていると判断した場合（ステップＳ３５０：ＹＥＳ）、ステップＳ３２０の処理に戻る。一方、Ｆセンサ１３がオンしていないと判断した場合（ステップＳ３５０：ＮＯ）、所定ステップ数ＳＮ２に相当するだけローラ４０，４４，４６が回転されたか否かを判断する（ステップＳ３５５）。ここで、所定ステップ数ＳＮ２は、起動時に、搬送経路２２，２２Ａ，２２Ｂ内に残留する原稿Ｇを確実に排紙できるステップ数として、また給紙トレイ２上に残存する原稿Ｇを確実に排紙できるステップ数として、それぞれ個別に、事前に設定されている。
【００８８】
所定ステップ数ＳＮ２に相当するだけローラ４０，４４，４６が回転されていないと判断する場合（ステップＳ３５５：ＮＯ）、ステップＳ３２０に戻って、ローラ４０，４４，４６が回転中におけるエラー検知を行う。一方、所定ステップ数ＳＮ２に相当するだけローラ４０，４４，４６が回転されたと判断する場合（ステップＳ３５５：ＹＥＳ）、起動時に、搬送経路２２，２２Ａ，２２Ｂ内に原稿Ｇが残留していた場合、あるいは給紙トレイ２上に原稿Ｇが残存していた場合、原稿Ｇが排紙トレイ４Ａ，あるいは排紙トレイ４Ｂに排紙されたとして、ローラ４０，４４，４６の回転を停止する（ステップＳ３６０）。そして、ＮＶＲＡＭ２６に原稿フラグ「オフ」を記憶させて（ステップＳ３６５）、起動時ローラ回転制御処理を終了する。
【００８９】
４．本実施形態の効果
本実施形態では、画像読取装置１の起動時にローラ４０，４４，４６を回転させる処理、いわゆる、ガラ回し処理を行う場合において、ＮＶＲＡＭ２６に記憶されている、切替板４８の切替状態を示す第１切替情報が、起動時にトレイ板検知センサ１５から取得される第２切替情報で示される切替板４８の切替状態と一致しないと判断される場合（ステップＳ４０５：ＮＯ、ステップＳ５０５：ＮＯ）、搬送部５６のローラ４０，４４，４６が回転されない（ステップＳ３０５．Ｓ３１０，Ｓ３２５，Ｓ３４５参照）。そのため、例えば、前回起動中の画像読取装置１の搬送読取処理における原稿Ｇの搬送の際に、電源がオフされ、今回起動時に原稿Ｇのサイズがわからない位置でその搬送が中断され、その中断中に、トレイ板５４の開閉状態が変更され、切替板４８の切替状態が変更される場合が考えられるが、そのような場合において、画像読取装置１の起動時の初期化処理においてローラ４０，４４，４６を回転させる起動時ローラ回転制御処理を行おうとする場合であっても、原稿Ｇが誤った搬送経路に搬送されることを抑制できる。その結果、起動時ローラ回転制御処理において原稿Ｇを破損することを抑制することができる。すなわち、画像読取装置１の起動時に搬送部５６のローラ４０，４４，４６を回転させる構成において、原稿Ｇが破損することを抑制することができる。
【００９０】
また、起動時ローラ回転制御処理において、ＮＶＲＡＭ２６に記憶されている第１切替情報に対応する原稿幅と、給紙トレイ２に残存する残存原稿Ｇの幅とが異なる場合に、残存原稿Ｇを搬送するためにローラ４０，４４，４６を回転させない。そのため、残存原稿Ｇが搬送されて残存原稿Ｇが破損することを抑制することができる。すなわち、ＮＶＲＡＭ２６に記憶されている原稿幅と、給紙トレイ２に残存する残存原稿Ｇの幅とが異なる場合、残存原稿Ｇが第２排紙口５Ｂを通過できないことがある。例えば、記憶原稿幅がはがきのサイズの幅であり、残存原稿ＧのサイズがＡ４サイズである場合、Ａ４サイズの原稿Ｇは第２排紙口５Ｂを通過できない。そのため、この場合であってもローラ４０，４４，４６を回転させないこと、すなわち、残存原稿Ｇの搬送を行わないことにより、残存原稿Ｇが破損することを抑制することができる。
【００９１】
また、画像読取装置１の起動の指示を受け付けた際に、ＮＶＲＡＭ２６に記憶されている原稿フラグが「オフ」の場合、すなわち、ＮＶＲＡＭ２６に原稿幅が記憶されていない場合、起動時ローラ回転制御処理が実行されない。すなわち、画像読取装置１の起動時に、ＮＶＲＡＭ２６に第１切替情報が記憶されていない場合は、今回起動前の起動中の搬送読取処理において原稿Ｇの排紙処理が完了しており、搬送経路２２内に原稿Ｇが残っている可能性は低い。そのため、起動時に、ＮＶＲＡＭ２６に第１切替情報が記憶されていない場合、起動時ローラ回転制御処理を実行しないことによって、起動時に無駄にローラ回転制御処理を実行することを抑制することができる。
【００９２】
また、その際、初期化処理の一部である起動時ローラ回転制御処理を実行しないので、初期化処理に掛かる時間を短縮することになり、読取処理開始までの時間を短縮することが期待できる。
【００９３】
＜他の実施形態＞
本発明は上記記述および図面によって説明した実施形態に限定されるものではなく、例えば次のような種々の態様も本発明の技術的範囲に含まれる。
【００９４】
（１）上記実施形態では、シート搬送装置１０を備えた画像読取装置１を用いて説明を行ったが、本発明はこれに限られず、プリンタ機能、コピー機能、ファクシミリ機能などを備えた複合機であってもよい。
【００９５】
（２）上記実施形態では、制御部をＣＰＵ２０によって構成する例を示したが、これに限られない。制御部は、例えば、ＡＳＩＣ（特定用途向け集積回路）によって構成されてもよい。また、ＡＳＩＣと、他の複数の回路とによって構成されてもよいし、あるいは、ＣＰＵとその他の個別の回路とによって構成されてもよい。
【００９６】
（３）上記実施形態の搬送読取処理では、ステップＳ１１５及びステップＳ１２０において、ＣＰＵ２０は、原稿サイズ検知センサ１６からの検出信号に基づいて、原稿フラグ「小」に対応したデータ（第１切替情報）をＮＶＲＡＭ２６に記憶させたり、原稿フラグ「大」に対応したデータ（第１切替情報）をＮＶＲＡＭ２６に記憶させたりしたが、これに限られない。トレイ板検知センサ１５からの検出信号に基づいて、原稿フラグ「小」に対応したデータをＮＶＲＡＭ２６に記憶させたり、原稿フラグ「大」に対応したデータをＮＶＲＡＭ２６に記憶させたりしてもよい。すなわち、トレイ板検知センサ１５が、第１切替情報および第２切替情報を生成するようにしてもよい。
【符号の説明】
【００９７】
１…画像読取装置、２…給紙トレイ、４Ａ、４Ｂ…排紙トレイ、５Ａ…境界部分、５Ｂ…開口、１０…シート搬送装置、１５…トレイ板検知センサ、１６…原稿サイズ検知センサ、２２…搬送経路、２２Ａ…Ｕパス、２２Ｂ…Ｓパス、２６…ＮＶＲＡＭ、４０…給紙ローラ、４４…第１搬送ローラ、４６…第２搬送ローラ、４８…切替板、５４…トレイ板、５６…搬送部、５８…連結部材
【図１】
2014166913.tif 000003
【図２】
2014166913.tif 000004
【図３】
2014166913.tif 000005
【図４】
2014166913.tif 000006
【図５】
2014166913.tif 000007
【図６】
2014166913.tif 000008
【図７】
2014166913.tif 000009
【図８】
2014166913.tif 000010
【図９】
2014166913.tif 000011